(57)【要約】【課題】  特に丸首シャツ、ハイネックシャツなど衣類の襟首をひっぱったりせずハンガーの着脱を可能にする。また、開閉動作が生じるため円滑に開閉する。【解決手段】  左右の握持部が上部に位置する回動部にて接合され左右の握持部からなる掛部そして掛部からなるフレーム部を下部に有する衣類ハンガーにて、左右に位置する掛部及びフレーム部の一方にそれぞれ回動部をもうけ、握持部を閉じることにより接合されるハンガー部分を上昇させ、握持部を解放することによりバネ力にて下降し定位置へと戻り一方のみを開閉させるハンガーに於て、掛部及びフレーム部に有する回動部にて接合し開閉するハンガー部分に回動部を設け円滑に一方のみが開閉する。【選択図】  図２
2006187577.tif 000002
【特許請求の範囲】
【請求項１】
左右の握持部が上部に位置する回動部にて接合され左右の握持部からなる掛部そして掛部からなるフレーム部を下部に有する衣類ハンガーにて、左右に位置する掛部及びフレーム部の一方にそれぞれ回動部をもうけ、握持部を閉じることにより接合されるハンガー部分を上昇させ、握持部を解放することによりバネ力にて下降し定位置へと戻り一方のみを開閉させるハンガーに於て、掛部及びフレーム部に有する回動部にて接合し、開閉する掛部に回動部を設け円滑に一方のみが開閉する。片方開閉式ハンガー。
【請求項２】
請求項１記載の一方のみを開閉させるハンガーに於て、掛部及びフレーム部に有する回動部にて接合し、開閉するフレーム部に上方へのみ回動を可能とする回動部を設け円滑に一方のみが開閉する、片方開閉式ハンガー。
【請求項３】
請求項１記載の一方のみを開閉させるハンガーに於て、掛部及びフレーム部に有する回動部にて接合し、開閉する湾曲部に回動部を設け円滑に一方のみが開閉する、片方開閉式ハンガー。
【発明の詳細な説明】
【技術分野】
【０００１】  本発明は、左右に位置する掛け部の片方のみが、握持部をを閉じることにより上部へ移動し開閉する、開閉式ハンガーに関する。
【背景技術】
【０００２】  開閉式のハンガーとなれば、左右双方の掛け部が下方から平行にバネや握力の力を利用し上昇させ形状を維持するものが多く見られるが、双方の掛け部を上昇させるためには衣類の肩の部分を持ち上げる力が必要とされ、衣類の素材や重量また挿入される位置によっては完全に開かなくなってしまう難点がよくあり、特に洗濯され水分を含んだ衣類では困難であった。
【発明の開示】
【発明が解決しようとする課題】
【０００３】
【０００４】  特に丸首のシャツやハイネックシャツ、また、ボタンどめされた衣類などをハンガ−に掛け外しをする時には、襟首をひっぱっりハンガ−を出し入れするため生地を痛めてしまうことがあり無理に使用すると襟首が伸びて肩崩れしてしまうことがあった。また伸縮性のない衣類では裾口などから出し入れを余儀なくされわずらわしい作業であった。
このような問題を解決しようとするものであり、襟首を無理にひっぱっりたりせずハンガ−を出し入れすることを目的とするものである。【０００５】  また、本発明は、左右に位置する掛け部の片方のみが、握持部をを閉じることにより上部へ移動し開閉するため円滑に開閉することがが要求される
【課題を解決するための手段】
【０００６】  請求項１記載の発明は、左右の握持部が上部に位置する回動部にて接合され左右の握持部からなる掛部そして掛部からなるフレーム部を下部に有する衣類ハンガーにて、左右に位置する掛部及びフレーム部の一方にそれぞれ回動部をもうけ、握持部を閉じることにより接合されるハンガー部分を上昇させ、握持部を解放することによりバネ力にて下降し定位置へと戻り一方のみを開閉させるハンガーに於て、掛部及びフレーム部に有する回動部にて接合し開閉する掛部に回動部を設け円滑に一方のみが開閉する。片方開閉式ハンガー。【０００７】  従って、一方の握持部及び、掛部、フレーム部は一体形であり作動せず、もう一方となる掛部及びフレーム部の回動部にて接合されるハンガー部分を握持部を片手で握られ閉じることにより上昇させる。また、握持部には連動するバネを有しており握られた握持部を解放することによりバネ力にて上昇したハンガー部分が下降し定位置へと戻り一方のみを開閉させる、以上構成の一方のみを開閉させるハンガーに於て、掛部及びフレーム部に有する回動部にて接合し開閉する一方のハンガー部分を円滑に開閉させるため、開閉する掛部に回動部が設けられ開閉がおこなわれるものである【０００８】  すなわち、左右に有する握持部を接合する回動部Ａを軸とした掛部に有する回動部Ｂの円周と、フレーム部に有する回動部Ｃを軸とした掛部に有する回動部Ｂの円周とでは、掛部に有する回動部Ｂに誤差が生じてしまう、この問題を克服するため一例として開閉する一方の掛部６または湾曲部１０が柔軟性、または弾力性を有することにより十分開閉することができる。しかし、より円滑に開閉させるため開閉する一方の掛部に回動部が設けられ上方へと開閉がおこなわれるものである。【０００９】  請求項２記載の発明は、請求項１記載の一方のみを開閉させるハンガーに於て、掛部及びフレーム部に有する回動部にて接合し、開閉するフレーム部に、上方へのみ回動を可能とする回動部を設け円滑に一方のみが開閉する、片方開閉式ハンガー。【００１０】  従って、請求項１記載の一方のみを開閉させるハンガーに於て、掛部及びフレーム部に有する回動部にて接合し開閉するハンガー部分を円滑に開閉させるため、開閉するフレーム部に回動部が設けられ開閉がおこなわれるものである、また、この回動部はフレーム部の形状をしっかりと維持させるために上方へのみ回動を可能とする。これにより円滑に開閉する。【００１１】  請求項３記載の発明は、請求項１記載の一方のみを開閉させるハンガーに於て、掛部及びフレーム部に有する回動部にて接合し、開閉する湾曲部に回動部を設け円滑に一方のみが開閉する、片方開閉式ハンガー。【００１２】  従って、請求項１記載の一方のみを開閉させるハンガーに於て、掛部及びフレーム部に有する回動部にて接合し開閉するハンガー部分を円滑に開閉させるため、開閉する湾曲部に回動部が設けられ開閉がおこなわれるものである。
【発明の効果】
【００１３】  このようにすれば、片手で衣類の肩の部分が持ち上げられ開閉が行われるため襟首を無理にひっぱっりたりせずハンガ−を出し入れすることができる、【００１４】  また、開閉する掛部または、フレーム部または、湾曲部に回動部を有することにより、円滑に開閉がおこなえ、作業効率のよいものである。
【発明を実施するための最良の形態】
【００１５】  以上の実施形態について以下、図を参照して説明する。【００１６】  図１、２、３に示す  上部にて左右の握持部１、４が回動部Ａにて接合され連動するバネＤを有する、開閉しない一方の握持部１掛部２フレーム部３は一体形でありもう一方となるフレーム部に設られた回動部Ｃまで有する。開閉させる一方の握持部４、握持部からなる掛部５が形成され掛部の回動部Ｂが設けられる。
以上構成にて開閉する掛部６に有する接合部は回動部Ｂにて接合し、フレーム部７に有する接合部は回動部Ｃにて上方へのみ開閉可能となり接合する、開閉する掛部６には左右からなり接合する回動部Ｆが設けれられる。【００１７】  上記構成の動作を説明する。一方の握持部１及び、掛部２フレーム３部は一体形であり作動せず、もう一方となる回動部Ｂ、Ｃにて開閉するハンガー部分が接合される。掛部６に有する回動部Ｆは握持部４を握持部１の方向へ片手で握り閉じることにより、接合する掛部６が下方へそして上方へと移動し回動するこの動作を伴い掛部６及びフレーム７の開閉するハンガー部分が上昇する。また、握持部４を解放することにより上記同様に回動し開閉するハンガー部分が下降し定位置へと戻り一方のみが開閉を可能とする。
また、この回動部Ｆは取扱時必要以上にぐらついたりしないようにするには接合する掛部６が定位置から下方へのみ移動可能となり回動する。【００１８】  また、回動部Ｆ下部は衣類の取り外し時、指先が引っ掛かったりしないようにするため突出せず左右と同じ厚みの幅にて形成されることが望ましい。【００１９】  図、４に示す  請求項１記載の一方のみを開閉させるハンガーに於て、開閉する掛部６に有する接合部は回動部Ｂにて接合し、フレーム部７に有する接合部は回動部Ｃにて上方へのみ開閉可能となり接合する。開閉を可能とするフレーム部には左右のフレーム部７からなる回動部Ｇが設けれられるこの回動部Ｇは、形状をしっかりと維持させるため上方へのみ回動を可能とする。【００２０】  上記構成の動作を説明する。請求項１記載の一方のみを開閉させるハンガーに於て、一方の握持部１及び、掛部２フレーム３部は一体形であり作動せず、もう一方となる回動部Ｂ、Ｃにて接合し開閉するハンガー部分のフレーム部７に有する回動部Ｇは、握持部４を握持部１の方向へ片手で握り閉じることにより、接合部が上方へそして下方へと移動し回動する、この動作を伴い掛部６及びフレーム７の開閉するハンガー部分が上昇する、また、握持部４を解放することにより上記同様に回動し開閉するハンガー部分が下降し定位置へと戻り一方のみが開閉を可能とする。【００２１】  図、５に示す、請求項１記載の一方のみを開閉させるハンガーに於て、開閉する掛部６に有する接合部は回動部Ｂにて接合し、フレーム部７に有する接合部は回動部Ｃにて上方へのみ開閉可能となり接合する、開閉を可能とする湾曲部には下部のフレーム部７、そして掛け部６からなる回動部Ｈが設けれられる【００２２】  上記構成の動作を説明する。一方の握持部１及び、掛部２フレーム３部は一体形であり作動せず、もう一方となる回動部Ｂ、Ｃにて接合し開閉するハンガー部分の湾曲部に有する回動部Ｈは、握持部４を握持部１の方向へ片手で握り閉じることにより、接合する掛部６が下方へそして上方へと移動し回動する、この動作を伴い掛部６及びフレーム７の開閉するハンガー部分が上昇する。また、握持部４を解放することにより上記同様に回動し開閉するハンガー部分が下降し定位置へと戻り一方のみが開閉を可能とする。【００２３】  また、この回動部Ｈは取扱時必要以上にぐらついたりしないようにするには接合する掛部６が定位置から下方へのみ移動可能となり回動する【００２４】  本発明の使用例を衣類を用い説明する。
図１、６、７、８、９に示す  片手で衣類の襟首がつかまれ、一体形となる掛部２、フレーム３部が、衣類の襟首に挿入され衣類の片方が保持される図６参照。つづいて握持部４を握持部１の方向へ閉じると開閉するハンガー部分が上昇する、襟首がつかまれていた片手は衣類の肩の方向へと少し移動し襟首端または肩の部分がつかまれ、上昇したハンガー部分の位置程度まで持ち上げられる７、８参照、この動作にて上昇したハンガー部分が衣類の中へと進入し開閉する通り道がつくられる。この持ち上げられた状態で閉じられていた握持部４を解放すると上昇したハンガー部分が降下しハンガーの形状が復元され衣類が保持される図９参照。【００２５】  また、取り外しには上記同様に、衣類の片方を開閉するハンガー部分が上昇する位置程度まで持ち上げる図９参照、つづいて握持部４を握持部１の方向へ閉じ開閉するハンガー部分を上昇させる図８参照、この状態で持ち上げられていた衣類を下げると取り外しが可能となる。本発明はこのように使用され、開閉する一方のハンガー部分を上部へと円滑に開閉することを目的とし開発されたものである。
【図面の簡単な説明】
【００２６】
【図１】  平面図
【図２】  握持部が閉じられ掛部が上昇した平面図
【図３】  開閉する掛部に有する回動部
【図４】  開閉するフレーム部に有する回動部
【図５】  開閉する湾曲部に有する回動部
【図６】  衣類の片方が保持された平面図
【図７】  掛部が上昇した平面図
【図８】  衣類の片方が持ち上げられ内部へ進入した平面図
【図９】  握持部が解放されハンガー状に復元された平面図
【符号の説明】
【００２７】      １−    握持部                  Ａ−    回動部
２−    掛部                    Ｂ−    掛部に有する回動部
３−    フレーム部              Ｃ−    フレーム部に有する回動部
４−    握持部                  Ｄ−    バネ
５−    握持部からなる掛部      Ｅ−    衣類及び衣類が持たれる部分
６−    開閉する掛部            Ｆ−    開閉する掛部に有する回動部
７−    開閉するフレーム部      Ｇ−    開閉するフレーム部に有する回動部
８−    フック部                Ｈ−    開閉する湾曲部に有する回動部
９−    強化部材
１０−  開閉する湾曲部
【図１】
2006187577.tif 000003
【図２】
2006187577.tif 000004
【図３】
2006187577.tif 000005
【図４】
2006187577.tif 000006
【図５】
2006187577.tif 000007
【図６】
2006187577.tif 000008
【図７】
2006187577.tif 000009
【図８】
2006187577.tif 000010
【図９】
2006187577.tif 000011